(57)【要約】      （修正有）【課題】映像、音声、情報表示という多種の機能を備えるビデオゲームコントローラーを提供する。【解決手段】ビデオゲームコントローラー１は、複数のボタン１１、１つ以上のジョイスティック１２、ゲームコントローラーチップを備える。各ボタン１１とジョイスティック１２は、ゲームコントローラーチップにそれぞれ連接する。ビデオゲームコントローラー１はさらに、ＬＣＤディスプレー２１、グラフコントローラーチップを備える。ＬＣＤディスプレー２１は、グラフコントローラーチップに連接し、グラフコントローラーチップは、ゲームコントローラーチップに連接する。【選択図】図２
0003153862.tif 000002
【実用新案登録請求の範囲】
【請求項１】
複数のボタン、１つ以上のジョイスティック、ゲームコントローラーチップを備え、
前記各ボタンと前記ジョイスティックは、前記ゲームコントローラーチップにそれぞれ連接し、
前記ビデオゲームコントローラーはさらに、LCDディスプレー、グラフコントローラーチップを備え、
前記LCDディスプレーは、前記グラフコントローラーチップに連接し、前記グラフコントローラーチップは、前記ゲームコントローラーチップに連接することを特徴とするビデオゲームコントローラー。
【請求項２】
前記ビデオゲームコントローラーはさらに、カメラ、影像コンバーターを備え、
前記カメラは、前記影像コンバーターに連接し、前記影像コンバーターは、前記ゲームコントローラーチップに連接することを特徴とする請求項１に記載のビデオゲームコントローラー。
【請求項３】
前記ビデオゲームコントローラーはさらに、マイク、音声コンバーター、増幅器、サウンドデバイスを備え、
前記音声コンバーターは、前記マイクと前記増幅器にそれぞれ連接し、前記増幅器は、前記サウンドデバイスに連接し、
しかも、前記音声コンバーターは、前記ゲームコントローラーチップにも連接することを特徴とする請求項１に記載のビデオゲームコントローラー。
【請求項４】
前記ビデオゲームコントローラーはさらに、タッチパネル、温度及び動作センサー、伝送インターフェースデバイス、無線ネットワークモジュール、MPEGエンコーダー＆デコーダー、メモリデバイス、赤外線伝送モジュールの内の、任意の１種或いは２種以上の組合せを備え、
しかも前記任意の１種或いは２種以上の組合せはすべて、前記ゲームコントローラーチップと直接連接することを特徴とする請求項１に記載のビデオゲームコントローラー。
【考案の詳細な説明】
【技術分野】
【０００１】
本考案はビデオゲームコントローラーに関し、特に多様な感知、伝送装置、LCDディスプレーを備えるビデオゲームコントローラーに関する。
【背景技術】
【０００２】
ビデオゲームコントローラー(Video Game Controller)は、テレビゲーム機、コンピューターゲームに使用される。該ビデオゲームコントローラーにより信号を伝送し、ゲーム機、テレビ、或いはコンピューターを制御してゲームを操作する。
【０００３】
しかし、現行技術が提供するビデオゲームコントローラーは、ゲーム機に単純で基本的な操作を提供することしかできず、使用者と他者とのインタラクティブな方式、及び即時情報表示の機能を備えていない。本考案は、従来のビデオゲームコントローラーの上記した欠点に鑑みてなされたものである。
【考案の概要】
【考案が解決しようとする課題】
【０００４】
本考案が解決しようとする課題は、映像、音声、情報表示という多種の機能を備え、ビデオゲームコントローラーの用途を拡大することができるビデオゲームコントローラーを提供することである。
【課題を解決するための手段】
【０００５】
上記課題を解決するため、本考案は下記のビデオゲームコントローラーを提供する。
ビデオゲームコントローラーは、複数のボタン、１つ以上のジョイスティック、ゲームコントローラーチップを備え、
該各ボタンと該ジョイスティックは、該ゲームコントローラーチップにそれぞれ連接し、該ビデオゲームコントローラーはさらに、LCDディスプレー、グラフコントローラーチップを備え、
該LCDディスプレーは、該グラフコントローラーチップに連接し、該グラフコントローラーチップは、該ゲームコントローラーチップに連接する。  
【考案の効果】
【０００６】
本考案ビデオゲームコントローラーは、映像、音声、情報表示という多種の機能を備え、ビデオゲームコントローラーの用途を拡大することができる。
【図面の簡単な説明】
【０００７】
【図１】本考案の機能を示すブロック図である。
【図２】本考案の実施例図(一)である。
【図３】本考案の実施例図(二)である。
【考案を実施するための形態】
【０００８】
以下に図面を参照しながら本考案を実施するための最良の形態について詳細に説明する。
【実施例】
【０００９】
図１、２、３に示すように、本考案のビデオゲームコントローラー１は、複数のボタン１１、１つ以上のジョイスティック１２、ゲームコントローラーチップ(Game Controller Chip)１３を備える。各ボタン１１とジョイスティック１２は、ゲームコントローラーチップ１３にそれぞれ連接する。ビデオゲームコントローラー１はさらに、LCDディスプレー２１、グラフコントローラーチップ２２を備える。LCDディスプレー２１は、グラフコントローラーチップ２２に連接し、グラフコントローラーチップ２２は、ゲームコントローラーチップ１３に連接する。
【００１０】
ビデオゲームコントローラー１はさらに、カメラ３１、影像コンバーター３２を備える。カメラ３１は、影像コンバーター３２に連接し、影像コンバーター３２は、ゲームコントローラーチップ１３に連接する。
【００１１】
ビデオゲームコントローラー１はさらに、マイク４１、音声コンバーター４２、増幅器４３、サウンドデバイス４４を備える。音声コンバーター４２は、マイク４１と増幅器４３にそれぞれ連接し、増幅器４３は、サウンドデバイス４４に連接する。しかも、音声コンバーター４２は、ゲームコントローラーチップ１３にも連接する。
【００１２】
ビデオゲームコントローラー１はさらに、タッチパネル５１、温度及び動作センサー５２、伝送インターフェースデバイス５３、無線ネットワークモジュール５４、MPEGエンコーダー＆デコーダー５５、メモリデバイス５６、赤外線伝送モジュール５７の内の、任意の１種或いは２種以上の組合せを備える。任意の１種或いは２種以上の組合せはすべて、ゲームコントローラーチップ１３と直接連接する。ビデオゲームコントローラー１はさらに、充電装置６を備え、内蔵する充電電池に対して充電を行なう。
【００１３】
ゲームコントローラーチップ(Game Controller Chip)１３は、それが連接するすべての装置の機能作動を制御し、通常は統合チップで、内蔵ゲームを執行し、各チップの作動を調整し、データの入力と出力を処理し、ゲーム本体とのコミュニケーションを行なう。タッチパネル(Touch Panel)５１は、接触感知を座標信号に転換し、ゲームコントローラーチップ１３に提供し、これにより、ボタン１１、或いはマウスの機能をシミュレートする。ボタン１１とジョイスティック１２(Key & Joystic)は、ビデオゲームコントローラー１の操作と、データ入力に用いる。温度及び動作センサー(Temperature & Motion Sensor)５２は、室内温度の感知と、ビデオゲームコントローラー１の動作の感応を担当する。伝送インターフェースデバイス(Transmittion Interface)５３は、有線或いは無線伝送を行い、これによりゲーム機本体或いは他の設備とデータ交換を行なう。無線ネットワークモジュール(Wireless Network Module)５４は、インターネットへの接続を提供するモジュールである。MPEGエンコーダー＆デコーダー(MPEG Encoder & Decoder)５５は、影像と音声をMPEGフォーマットに圧縮し、また解凍する。メモリデバイス(Memory Device)５６は、ゲームを保存し、或いは各タスクを記録し、内蔵メモリ或いは外付けの形態である。増幅器(Amplifier)４３は、入力された音声信号を増幅させる。サウンドデバイス(Sound Device)４４は、通常はスピーカーで、音声を発する。音声コンバーター(Digital Sound Converter)４２は、デジタル音声コンバーターで、デジタル音声をエンコードし、またデコードする。マイク(Microphone)４１は、音声を電気信号に転換する。影像コンバーター(Digital Video Converter)３２は、デジタル影像コンバーターである。カメラ(Camera)３１は、影像を電気信号に転換する。グラフコントローラーチップ(Graph Controller Chip)２２は、液晶ディスプレーの画面を制御する。LCDディスプレー(LCD Display)２１は、白黒、或いはカラーの液晶ディスプレーで、画面表示を行なう。赤外線伝送モジュール(IR Transceiver)５７は、赤外線信号の受信と発射を行なうモジュールである。充電装置(Battery Charge Controller)６は、内蔵する充電電池に対して充電を行なう。
【００１４】
ビデオゲームコントローラー１は、ことなく組合せ方式により、上記した各種機能の回路を、ビデオゲームコントローラー１に統合することができ、これにより、操作時に様々な使用方式と利便性を使用者に提供することができる。以下に、ビデオゲームコントローラー１が応用可能な場面と、その使用方式について説明する。
【００１５】
(一)内蔵ゲーム：内蔵ゲームは、メモリデバイス５６のメモリ或いは外付けメモリ中に保存する。例えば、メインゲームと対応する電子アナログペットは、メインゲームをプレイ中の操作を利用し、電子アナログペットに運動と成長を提供する。他にも、簡単な知育ゲーム、戦闘ゲーム、ロールプレイングゲームなどがある。また、伝送インターフェースを対応させ、他のビデオゲームコントローラーと対戦することもできる。
(二)メインゲーム第二表示画面：メインゲームの動作を対応させ、ゲームオプションをオンラインで表示し、或いはメインキャラクターの自主トレをオフラインで行なう。
(三)時間及び万年歴：現在の時間、タイムゾーン、万年歴を表示可能。
(四)タイマー、アラーム：タイマーとして時間を設定し、或いはカウントダウンを設定し、さらにはアラームとして時間を知らせることができる。
(五)室内温度計：現在の室内温度を表示可能。
(六)電池残量表示：現在の電池残量を表示可能。
(七)パーソナライズ機能：個人の氏名、性別、年齢、身長、体重などのデータを入力可能。
(八)累積消費カロリーを表示：パーソナライズ機能で入力したデータに基づき、温度及び動作センサー５２を対応させて、ゲームで消費した累積カロリーを計算することができる。
(九)デジタル写真表示：メモリデバイス５０のメモリ或いは外付けメモリに保存するデジタル写真を表示可能。
(十)デジタルカメラ：内蔵するカメラ３１によりデジタル写真を撮影することができる。
(十一)無線室内電話及び無線インターフォン：外に設置する無線電話本体に対応させ室内電話とし、或いは直接対応させ室内無線インターフォンとすることができる。
(十二)ワイヤレスインターネット接続及びIP電話：内蔵する無線ネットワークモジュール５４を利用し、インターネットに接続し、ブラウジングとIP電話としての通信を提供可能。
(十三)音楽及びビデオ再生：メモリデバイス５６のメモリ或いは外付けメモリに保存する音楽とビデオを再生することができる。
(十四)電子書籍及び電子辞書：メモリデバイス５６のメモリ或いは外付けメモリに保存する電子書籍或いは電子辞書を再生することができる。
(十五)万能リモコン：内蔵する赤外線伝送モジュール５７を利用し、万能学習型の赤外線リモコンを構成することができる。
(十六)三軸水平器：内蔵する温度及び動作センサー５２を利用し、三軸位置を備える立体座標を算出し、こうして三軸水平器としての機能を実現する。
【００１６】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００１７】
本考案は機能と効果を大きく増進させ、該技術領域では、相同或いは近似の製品、考案は未見で、或いは公開、使用されていない。さらに本考案は実用新案の要件である新規性を備え、十分な進歩性を有し、実用性が高く、社会のニーズに合致しており、産業上の利用価値は非常に大きい。
【符号の説明】
【００１８】
１  ビデオゲームコントローラー
１１  ボタン
１２  ジョイスティック
１３  ゲームコントローラーチップ
２１  LCDディスプレー
２２  グラフコントローラーチップ
３１  カメラ
３２  影像コンバーター
４１  マイク
４２  音声コンバーター
４３  増幅器
４４  サウンドデバイス
５１  タッチパネル
５２  温度及び動作センサー
５３  伝送インターフェースデバイス
５４  無線ネットワークモジュール
５５  MPEGエンコーダー＆デコーダー
５６  メモリデバイス
５７  赤外線伝送モジュール
６  充電装置
【図１】
0003153862.tif 000003
【図２】
0003153862.tif 000004
【図３】
0003153862.tif 000005
【手続補正書】
【提出日】平成21年7月15日(2009.7.15)
【手続補正１】
【補正対象書類名】実用新案登録請求の範囲
【補正対象項目名】請求項１
【補正方法】変更
【補正の内容】
【請求項１】
複数のボタン、１つ以上のジョイスティック、ゲームコントローラーチップを備え、
前記各ボタンと前記ジョイスティックは、前記ゲームコントローラーチップにそれぞれ連接し、
ビデオゲームコントローラーはさらに、LCDディスプレー、グラフコントローラーチップを備え、
前記LCDディスプレーは、前記グラフコントローラーチップに連接し、前記グラフコントローラーチップは、前記ゲームコントローラーチップに連接することを特徴とするビデオゲームコントローラー。